(57)【要約】【課題】点検口から上腕を入れて行われる不正を抑制し、遊技場側の不利益を抑制可能な遊技機島の提供【解決手段】欄間１０は、点検口３を覆うことが可能な形状に形成された板部材１１と、板部材１１の下部に設置され、点検口３を閉鎖する位置と、開放する位置との間で板部材１１を回動可能に支持する回動支持部材１２と、板部材１１が略水平となる位置（以下、略水平位置という）より下方への板部材１１の回動を制限する開位置制限部材１３とを備える。尚、略水平位置に位置するときに板部材１１が点検口３から水平方向に突出する量を人間の上腕の長さに基づいて決定した量以上となるように板部材１１の寸法が決定される。このため、板部材１１が略水平位置の場合には、人間がその上腕を点検口３の下部から入れようとしても、板部材１１が邪魔になり、上腕が点検口３に届き難くなる。【選択図】図２
2008136605.tif 000002
【特許請求の範囲】
【請求項１】
複数の遊技機が設置され、該遊技機の上方に点検口が形成された遊技機島であって、
上記点検口を覆うことが可能な形状に形成された板部材と、
上記板部材の下部に設置され、上記点検口を閉鎖する位置と、上記点検口を開放する位置との間で上記板部材を回動可能に支持する回動支持部材と、
上記板部材が略水平となる位置より下方へ該板部材が回動することを制限する開位置制限部材とを備え、
上記板部材が略水平となる位置に位置している場合に上記板部材が上記点検口から水平方向に突出する量を水平方向突出量とし、
上記水平方向突出量が、人間の上腕の長さに基づいて決定した量以上となるように、上記板部材の寸法が決定されている
ことを特徴とする遊技機島。
【請求項２】
上記板部材は、
上記板部材が略水平となる位置に位置している場合に上方を向く面上に、遊技場に設置されて上記遊技機を管理するためのホールコンピュータと上記遊技機との間での信号の入出力を制御するための入出力基板が配置される
ことを特徴とする請求項１に記載の遊技機島。
【請求項３】
上記板部材における上記入出力基板が配置される面上で、該入出力基板のコネクタと接続されるコネクタ配線を係止する係止手段を備える
ことを特徴とする請求項２に記載の遊技機島。
【請求項４】
上記点検口が開放される際の上記板部材の回動方向とは逆の方向に上記板部材を付勢する付勢手段を備える
ことを特徴とする請求項１〜請求項３の何れかに記載の遊技機島。
【発明の詳細な説明】
【技術分野】
【０００１】
本発明は、複数の遊技機が設置され、遊技機の上方に点検口が形成された遊技機島に関する。
【背景技術】
【０００２】
従来より、複数のパチンコ機やパチスロ機等の遊技機が設置される遊技機島においては、遊技機の上方に点検口が形成されるとともに、この点検口を覆うことが可能な形状に形成された板部材が設けられている。
【０００３】
そして、点検口の上部には板部材を保持するヒンジ部材が設けられており、板部材を下から上に回動させて点検口を開けることによって、遊技機の上方に設置された設備、例えば、各遊技機に遊技媒体を補給する補給樋や、ホールコンピュータと遊技機との間での信号の入出力を制御する入出力基板の保守や点検をすることができるようにされている（例えば、特許文献１参照。）。
【特許文献１】特開平５−２２８２５５号公報
【発明の開示】
【発明が解決しようとする課題】
【０００４】
しかしながら、特許文献１に記載の遊技機島では、板部材を保持するヒンジ部材が点検口の上部に設けられているため、図８に示すように、板部材１０２を下から上に回動させて（矢印Ｙ１を参照）点検口１０３を開けると、点検口１０３の下部から人間の上腕ＪＷを入れることができる。
【０００５】
このため、このような遊技機島では、遊技者が遊技場のスタッフの目を盗んで点検口１０３を開けて、点検口１０３から遊技機島１０１の内部に上腕ＪＷを入れることによって、例えば、遊技機１０４の内枠を外枠に係止する係止部材を解除するなどの不正を容易に行うことができてしまうという問題があった。
【０００６】
本発明は、こうした問題に鑑みなされたものであり、点検口から上腕を入れて行われる不正を抑制し、遊技場側の不利益を最小限に抑えることが可能な遊技機島の提供を目的とする。
【課題を解決するための手段】
【０００７】
上記課題を解決するための手段として、請求項１の発明の遊技機島は、複数の遊技機が設置され、該遊技機の上方に点検口が形成された遊技機島であって、上記点検口を覆うことが可能な形状に形成された板部材と、上記板部材の下部に設置され、上記点検口を閉鎖する位置と、上記点検口を開放する位置との間で上記板部材を回動可能に支持する回動支持部材と、上記板部材が略水平となる位置より下方へ該板部材が回動することを制限する開位置制限部材とを備え、上記板部材が略水平となる位置に位置している場合に上記板部材が上記点検口から水平方向に突出する量を水平方向突出量とし、上記水平方向突出量が、人間の上腕の長さに基づいて決定した量以上となるように、上記板部材の寸法が決定されていることを要旨とする。
【０００８】
このように構成された請求項１の遊技機島は、点検口を閉鎖する位置（以下、点検口閉鎖位置という）から、回動支持部材を介して板部材の下部を回動中心として板部材を上から下に回動させると、点検口を開放する位置（以下、点検口開放位置という）に板部材を移動させることができる。尚、板部材は、開位置制限部材によって、板部材が略水平となる位置より下方へ移動することを制限される。
【０００９】
また、点検口開放位置から板部材の下部を回動中心として板部材を下から上に回動させると、板部材を点検口閉鎖位置に移動させることができる。
請求項２の発明の遊技機島は、上記板部材は、上記板部材が略水平となる位置に位置している場合に上方を向く面上に、遊技場に設置されて上記遊技機を管理するためのホールコンピュータと上記遊技機との間での信号の入出力を制御するための入出力基板が配置されることを特徴とする請求項１に記載の遊技機島を要旨とする。
【００１０】
これにより、請求項１の作用に加え、板部材が略水平となる位置にある場合に、板部材における上を向く面上に入出力基板が配置される。
請求項３の発明の遊技機島は、上記板部材における上記入出力基板が配置される面上で、該入出力基板のコネクタと接続されるコネクタ配線を係止する係止手段を備えることを特徴とする請求項２に記載の遊技機島を要旨とする。
【００１１】
これにより、請求項２の作用に加え、入出力基板のコネクタと接続されるコネクタ配線が、係止手段によって係止される。
請求項４の発明の遊技機島は、上記点検口が開放される際の上記板部材の回動方向とは逆の方向に上記板部材を付勢する付勢手段を備えることを特徴とする請求項１〜請求項３の何れかに記載の遊技機島を要旨とする。
【００１２】
これにより、請求項１〜請求項３の何れかの作用に加え、板部材は、点検口閉鎖位置から点検口開放位置へ移動する際に、付勢手段によって移動方向とは逆の方向に付勢される。
【発明の効果】
【００１３】
請求項１の発明の遊技機島は、板部材の下部に設置された回動支持部材を介して、板部材の下部を回動中心として板部材が回動し、板部材が略水平となる位置（以下、略水平位置という）に位置している場合に、水平方向突出量が、人間の上腕の長さに基づいて決定した量以上となるように、板部材の寸法が決定されている。
【００１４】
このため、点検口が開放されて板部材が略水平位置に位置する場合には、人間がその上腕を点検口の下部から入れようとしても、点検口から水平方向に突出した板部材が邪魔になって、上腕が点検口に届き難くなる。従って、点検口から上腕を入れて行われる不正が抑制され、遊技場側の不利益を最小限に抑えることができるという極めて優れた効果を奏する。
【００１５】
また、遊技機の上方に設置された設備、例えば、各遊技機に遊技媒体を補給する補給樋や、ホールコンピュータと遊技機との間での信号の入出力を制御する入出力基板の保守や修理を行う際には、略水平位置に位置する板部材の上に、保守や修理のための道具等を載置することができるため、保守作業や修理作業を行い易くなるという効果を奏する。
【００１６】
請求項２の発明の遊技機島は、請求項１の効果に加え、点検口が開放されて板部材が略水平位置に位置する場合に、入出力基板が点検口を塞ぐことがないため、例えば、補給樋の修理作業や、補給樋から各遊技機へ遊技媒体を分離する遊技媒体分離器において遊技媒体が詰まった時の解消作業等が行い易くなるという効果を奏する。
【００１７】
請求項３の発明の遊技機島は、請求項２の効果に加え、入出力基板のコネクタと接続されるコネクタ配線が、係止手段によって係止されるため、コネクタ配線が入出力基板から抜け難くなるという効果を奏する。
【００１８】
請求項４の発明の遊技機島は、請求項１〜請求項３の何れかの効果に加え、点検口閉鎖位置から点検口開放位置へ板部材が移動する際に、板部材の移動速度を小さくすることができる。このため、板部材が略水平位置まで到達し、開位置制限部材によって略水平位置より下方に移動することが制限された際に生じる衝撃を少なくすることができる。従って、この衝撃に起因した遊技機島の破損、特に、板部材、回動支持部材、開位置制限部材の破損を抑制できるという効果を奏する。また、板部材に入出力基板が配置されている場合には、入出力基板への衝撃を少なくすることができ、入出力基板の破損を抑制できるという効果を奏する。
【発明を実施するための最良の形態】
【００１９】
以下に本発明の実施形態について図面を基に説明する。
図１は、本発明が適用された遊技機島１の斜視図、図２は、点検口３が開放された状態における欄間１０の斜視図である。
【００２０】
図１に示すように、複数のパチンコ遊技機（以下、パチンコ機という）５０が設置される遊技機島１は、隣接するパチンコ機５０の２台毎に、パチンコ機５０の上方に設置される点検口３と、この点検口３を開閉する欄間１０とを備える。
【００２１】
なお点検口３は、遊技機島１の内部においてパチンコ機５０の上方に設置された設備、例えば、各パチンコ機５０に遊技球を補給する補給樋（不図示）の保守や点検をする際に利用される。
【００２２】
また欄間１０は、点検口３を閉鎖した状態において点検口３の下部３ａから上部３ｂを覆う形状に形成された板部材１１を備える。
更に、欄間１０は、図２に示すように、点検口３の外周を形成する枠状部材２の２つの縦枠２ａそれぞれの内側ＩＳ１における板部材１１の下部１１ａに設置されて、板部材１１の下部１１ａを回動中心として板部材１１を回動可能に支持する回動支持部材１２と、板部材１１が略水平となる位置Ｐ１（以下、点検口開放位置Ｐ１ともいう）より下方に移動することを制限する開位置制限部材１３と、板部材１１を点検口３の下部３ａから上部３ｂを覆った位置に保持する覆い位置保持部材１４と、点検口３を開放する際の板部材１１の移動方向Ｄ１とは逆の方向Ｄ２に板部材１１を付勢する引っ張りばね１５とを備える。
【００２３】
尚、開位置制限部材１３と引っ張りばね１５とは、１つの欄間１０につき２個取り付けられている。
これらのうち板部材１１は、板部材１１が点検口開放位置Ｐ１に位置しているときに、板部材１１が点検口３から水平方向に突出する量Ｌ１を人間の上腕の長さに基づいて決定した突出量以上となるように、板部材１１の寸法Ｌ２が決定されている。例えば、本実施形態では、水平方向に突出する量Ｌ１が、人間の上腕の長さの平均値以上（例えば、５０ｃｍ以上）となるように、板部材１１の寸法Ｌ２が決定されている。
【００２４】
また開位置制限部材１３は、連結アーム１８，１９から構成される。そして、連結アーム１８の一端１８ａは、点検口３の外周を形成する枠状部材２の縦枠２ａの内側ＩＳ１に回転軸Ｈ１を中心にして回転可能に連結されるとともに、連結アーム１８の他端１８ｂは、連結アーム１９の一端１９ａに回転軸Ｈ２を中心にして回転可能に連結される。更に、連結アーム１９の他端１９ｂは、板部材１１の中央部１１ｂに回転軸Ｈ３を中心にして回転可能に連結される。
【００２５】
尚、板部材１１が略水平となる位置Ｐ１にあるときに連結アーム１８と連結アーム１９とが一直線上に伸びて、連結アーム１８の一端１８ａと、連結アーム１９の他端１９ｂとの距離が最も長くなるように、連結アーム１８，１９の長さが決定されている。これにより開位置制限部材１３は、板部材１１が略水平となる位置Ｐ１より下方に移動することを制限する。
【００２６】
また、覆い位置保持部材１４は、枠状部材２の上枠２ｂの内側ＩＳ２に取り付けられた磁石部材１４ａと、板部材１１が略水平となる位置Ｐ１にある場合に板部材１１において上方を向く面１１ｃ（以下、板部材裏面１１ｃともいう）上に取り付けられた鉄板１４ｂとから構成される。尚、磁石部材１４ａ及び鉄板１４ｂは、板部材１１が点検口３の下部３ａから上部３ｂを覆っている位置Ｐ２（以下、点検口閉鎖位置Ｐ２ともいう。図１参照）にある場合に互いが接触する位置に取り付けられている。つまり、点検口閉鎖位置Ｐ２では磁石部材１４ａと鉄板１４ｂとが磁力で密着することにより、板部材１１が点検口閉鎖位置Ｐ２に保持される。
【００２７】
また引っ張りばね１５は、その一端１５ａが枠状部材２の縦枠２ａの内側ＩＳ１に固定されるとともに、他端１５ｂが板部材裏面１１ｃに固定されている。
また板部材裏面１１ｃ上には、遊技場に設置されてパチンコ機５０を管理するためのホールコンピュータ（不図示）とパチンコ機５０との間での信号の入出力を制御するための入出力基板３０が配置される。そして入出力基板３０には、ホールコンピュータ（不図示）とパチンコ機５０との間で信号を入出力するためのコネクタ配線３２が接続される。
【００２８】
尚、板部材裏面１１ｃ上には、コネクタ配線３２を板部材１１に係止する係止部材３４が取り付けられている。
このように構成された遊技機島１は、点検口閉鎖位置Ｐ２から、回動支持部材１２を介して板部材１１の下部１１ａを回動中心として板部材をＤ１方向に回動させると、点検口３が開放されて板部材１１が略水平となる位置Ｐ１（点検口開放位置Ｐ１）に板部材１１を移動させることができる。尚、板部材１１は、開位置制限部材１３によって、点検口開放位置Ｐ１より下方へ移動することを制限される。
【００２９】
また、板部材１１を、点検口開放位置Ｐ１から、回動支持部材１２を介して板部材１１の下部１１ａを回動中心としてＤ２方向に回動させると、点検口閉鎖位置Ｐ２に移動させることができる。尚、点検口閉鎖位置Ｐ２に移動した板部材１１は、覆い位置保持部材１４によって、点検口閉鎖位置Ｐ２に保持される。
【００３０】
また、板部材１１が略水平となる位置Ｐ１にある場合に、板部材１１が点検口３から水平方向に突出する量Ｌ１を人間の上腕の長さに基づいて決定した量以上となるように、板部材１１の寸法Ｌ２が決定されている。
【００３１】
このため、図３に示すように、点検口３が開放されて板部材１１が略水平となる位置Ｐ１（点検口開放位置Ｐ１）にある場合には、人間ＨＭがその上腕ＪＷを点検口３の下部３ａから更に奥に入れようとしても、点検口３から水平方向に突出した板部材１１が邪魔になって、上腕ＪＷが点検口３の奥まで届き難くなる。従って、点検口３からパチンコ機５０の裏側上部ＲＪに上腕ＪＷを入れて行われる不正、例えば、パチンコ機５０の内枠を外枠に係止する係止部材を解除する不正が出来難くなって抑制され、遊技場側の不利益を最小限に抑えることができるという極めて優れた効果を奏する。
【００３２】
また、パチンコ機５０の上方に設置された設備、例えば、各パチンコ機５０に遊技球を補給する補給樋６０や、入出力基板３０の保守や修理を行う際には、略水平となる位置Ｐ１（点検口開放位置Ｐ１）になった板部材１１の板部材裏面１１ｃ上に、保守や修理のための道具等を載置することができるため、保守作業や修理作業を行い易くなるという効果を奏する。
【００３３】
また、板部材裏面１１ｃ上に入出力基板３０が配置されているので、点検口３が開放されて板部材１１が略水平となる位置Ｐ１（点検口開放位置Ｐ１）にある場合に、入出力基板３０が点検口３を塞ぐことがない。このため、例えば、補給樋６０の修理作業や、補給樋６０から各パチンコ機５０へ遊技球を分離する遊技球分離器６２において遊技球が詰まった時の解消作業等が行い易くなるという効果を奏する。
【００３４】
また、入出力基板３０のコネクタと接続されるコネクタ配線３２が、係止部材３４によって係止されるため、コネクタ配線３２が入出力基板３０から抜け難くなるという効果を奏する。
【００３５】
また、引っ張りばね１５は、点検口３が開放される際の板部材１１の移動方向Ｄ１とは逆の方向Ｄ２に板部材１１を付勢するので、点検口閉鎖位置Ｐ２から点検口開放位置Ｐ１へ板部材１１が移動する際に、板部材１１の移動速度を小さくすることができる。このため、板部材１１が点検口開放位置Ｐ１まで到達し、開位置制限部材１３の連結アーム１８と連結アーム１９とが伸びきって、点検口開放位置Ｐ１より下がった位置に移動することが制限された際に生じる衝撃を緩和することができる。従って、この衝撃に起因した遊技機島１の破損、特に、板部材１１、回動支持部材１２、開位置制限部材１３の破損を抑制できるという効果を奏する。また、入出力基板３０への衝撃を緩和することができ、入出力基板３０の破損を抑制できるという効果を奏する。
【００３６】
以上説明した実施形態において、係止部材３４は本発明における係止手段、引っ張りばね１５は本発明における付勢手段である。
以上、本発明の一実施例について説明したが、本発明は上記実施例に限定されるものではなく、本発明の技術的範囲に属する限り種々の形態を採ることができる。
【００３７】
例えば、遊技機島１は、図４に示すように、遊技機島１における複数のパチンコ機５０が並設されている方向に沿って、板部材裏面１１ｃ上から突設された突出部材４０を備えるようにしてもよい。
【００３８】
このように構成された遊技機島１では、図５に示すように、点検口３が開放されて板部材１１が略水平となる位置Ｐ１（点検口開放位置Ｐ１）にある場合に、人間ＨＭがその上腕ＪＷを点検口３の下部３ａからを入れようとしても、上腕ＪＷが突出部材４０を越えるようにする必要があるため、上腕ＪＷを入れる高さが更に高くなり、上腕ＪＷが点検口３に届き難くなる。従って、点検口３から上腕ＪＷを入れて行われる不正を更に抑制することができるという極めて優れた効果を奏する。
【００３９】
また上記実施形態においては、引っ張りばね１５を用いて、点検口閉鎖位置Ｐ２から点検口開放位置Ｐ１へ板部材１１が移動する際の板部材１１の移動速度を小さくするものを示したが、引っ張りばね１５の代わりに、周知のダンパーを用いて板部材１１の移動速度を小さくするようにしてもよい。
【００４０】
また上記実施形態においては、回動支持部材１２により、板部材１１の下部１１ａを回動中心として板部材１１を回動させるものを示したが、図６に示すように、回動支持部材１２の代わりに、板部材１１の下部３ａに蝶番７１を設置して、下部１１ａを回動中心として板部材１１を回動させるようにしてもよい。
【００４１】
また、図７（ａ）に示すように、蝶番８１の取付板８１ａを板部材１１の下側面１１ｄに取り付けるとともに、蝶番８１の取付板８１ｂを、遊技機島１の前面から突出する蝶番取付部８２の上側面８２ａに取り付けて、図７（ｂ）に示すように、蝶番８１の回動軸８１ｃを中心に板部材１１を回動させるようにしてもよい（１点鎖線の矢印ＹＪを参照）。これにより、蝶番８１の取付板８１ａ及び取付板８１ｂが遊技機島１の前面に露出しないため、遊技機島の美観の低下を防止することができる。
【図面の簡単な説明】
【００４２】
【図１】遊技機島１の斜視図である。
【図２】点検口３が開放された状態における欄間１０の斜視図である。
【図３】点検口３から遊技機島１の内部に上腕ＪＷを入れる状況を説明する遊技機島１の側面図である。
【図４】別の実施形態の点検口３が開放された状態における欄間１０の斜視図である。
【図５】別の実施形態の点検口３から遊技機島１の内部に上腕ＪＷを入れる状況を説明する遊技機島１の側面図である。
【図６】別の実施形態の遊技機島１の斜視図である。
【図７】蝶番８１による板部材１１の回動を説明するための遊技機島１の側面図である。
【図８】点検口１０３から遊技機島１０１の内部に上腕ＪＷを入れる状況を説明する遊技機島１０１の側面図である。
【符号の説明】
【００４３】
１…遊技機島、２…枠状部材、３…点検口、１０…欄間、１１…板部材、１２…回動支持部材、１３…開位置制限部材、１４…覆い位置保持部材、１４ａ…磁石部材、１４ｂ…鉄板、１５…引っ張りばね、１８，１９…連結アーム、３０…入出力基板、３２…コネクタ配線、３４…係止部材、４０…突出部材、５０…パチンコ機、６０…補給樋、６２…遊技球分離器、７１，８１…蝶番
【図１】
2008136605.tif 000003
【図２】
2008136605.tif 000004
【図３】
2008136605.tif 000005
【図４】
2008136605.tif 000006
【図５】
2008136605.tif 000007
【図６】
2008136605.tif 000008
【図７】
2008136605.tif 000009
【図８】
2008136605.tif 000010